(57)【特許請求の範囲】
【請求項１】
薄肉の合成樹脂製のシート材料から形成された、受皿本体部に内容物を収容した受皿と、前記受皿本体部の上面開口を覆って装着された蓋とからなる包装容器であって、
前記受皿は、前記受皿本体部の外周に張り出して設けられたフランジ部と、該フランジ部の外側縁部から立設して設けられた立設部とを含む受皿側係止部を備えており、
前記蓋は、蓋本体部の周壁の下端部の外周に張り出して設けられたフランジ部を含む蓋側係止部を備えており、
前記受皿側係止部の立設部から上方に延設して、縮径部を備える延設部が設けられていると共に、前記縮径部の上方部分における前記延設部の少なくとも径方向に対向する領域に、外側に向けて横方向に張り出して設けられた押下げ操作部を備えており、
前記蓋側係止部は、前記蓋本体部の周壁の下端部と、該下端部の下端縁部から外側に張り出して設けられたフランジ部と、該フランジ部の外側縁部から立設して設けられた、上端縁部に外側係止部を備える立設部とを含んで形成されており、
前記外側係止部は、前記蓋側係止部の立設部の上端縁部から、外側に向けて横方向に張出して設けられていると共に、前記受皿側係止部の立設部と、前記延設部の前記縮径部との接続基端部に係止されており、
前記受皿側係止部は、前記受皿本体部の外側縁部から垂下して設けられた垂下部と、該垂下部の下端縁部から外側に張り出して設けられたフランジ部と、該フランジ部の外側縁部から立設して設けられた立設部とを含んで形成されており、
前記受皿側係止部と前記蓋側係止部とは、前記受皿側係止部に前記蓋側係止部を嵌め込むことで、内嵌合部及び外嵌合部による係合によって、少なくとも前記受皿側係止部の垂下部と前記蓋本体部の周壁の下端部とを重ね合せた状態で、係着されており、
前記押下げ操作部に上方から押下げ力を加えることで、前記受皿側係止部を弾性変形させて、前記蓋側係止部の前記立設部に設けられた前記外側係止部による外嵌合部を、該外側係止部が前記縮径部を乗り越えることによって解除させ、前記押下げ操作部への押下げ力を開放することで、前記外側係止部が前記縮径部を乗り越えた状態のまま、前記受皿側係止部を元の形状に復帰させて、前記蓋本体部の周壁の下端部を上方にスライド移動させることによって、該下端部と該下端部に重ね合された前記受皿側係止部の垂下部とによる内嵌合部を解除させる包装容器。
【請求項２】
前記蓋は、前記蓋本体部の上面部を、前記押下げ操作部よりも上方に配置した状態で、前記受皿本体部の上面開口を覆って装着されている請求項１記載の包装容器。
【請求項３】
前記延設部に設けられた前記押下げ操作部は、前記延設部の全周に亘って環状に連続して設けられている請求項１又は２記載の包装容器。
【請求項４】
前記受皿側係止部の前記フランジ部及び前記蓋側係止部の前記フランジ部は、円形状の平面形状を備えている請求項１〜３のいずれか１項記載の包装容器。
【請求項５】
前記受皿本体部の底壁部は、前記受皿側係止部のフランジ部より下方に位置している請求項１〜４のいずれか１項記載の包装容器。
【請求項６】
薄肉の合成樹脂製のシート材料から形成された、受皿本体部に内容物が収容される受皿と、前記受皿本体部の上面開口を覆って装着される蓋とからなる包装容器であって、
前記受皿は、前記受皿本体部の外側縁部から垂下して設けられた垂下部と、該垂下部の下端縁部から外側に張り出して設けられたフランジ部と、該フランジ部の外側縁部から立設して設けられた立設部とを含む受皿側係止部を備えており、
前記蓋は、蓋本体部の周壁の下端部と、該下端部の下端縁部から外側に張り出して設けられたフランジ部と、該フランジ部の外側縁部から立設して設けられた、上端縁部に外側係止部を備える立設部とを含む蓋側係止部を備えており、
前記受皿側係止部と前記蓋側係止部とは、前記受皿側係止部に前記蓋側係止部を嵌め込むことで、内嵌合部及び外嵌合部による係合によって、少なくとも前記受皿側係止部の垂下部と前記蓋本体部の周壁の下端部とを重ね合せた状態で、係着されるようになっており、
前記受皿側係止部の立設部から上方に延設して、縮径部を備える延設部が設けられていると共に、該縮径部の上方部分における前記延設部の少なくとも径方向に対向する領域に、外側に向けて横方向に張り出して設けられた押下げ操作部を備えており、
前記外側係止部は、前記蓋側係止部の立設部の上端縁部から、外側に向けて横方向に張出して設けられていると共に、前記受皿側係止部の立設部と、前記延設部の縮径部との接続基端部に係止されており、
前記押下げ操作部に上方から押下げ力を加えることで、前記受皿側係止部を弾性変形させて、前記蓋側係止部の前記立設部に設けられた前記外側係止部による外嵌合部を、該外側係止部が前記縮径部を乗り越えることによって解除させ、前記押下げ操作部への押下げ力を開放することで、前記外側係止部が前記縮径部を乗り越えた状態のまま、前記受皿側係止部を元の形状に復帰させて、前記蓋本体部の周壁の下端部を上方にスライド移動させることによって、該下端部と該下端部に重ね合された前記受皿側係止部の垂下部とによる内嵌合部を解除させる包装容器。
【発明の詳細な説明】
【技術分野】
【０００１】
本発明は、包装容器に関し、特に、受皿本体部に内容物を収容した受皿と、受皿本体部の上面開口を覆って装着された蓋とからなる包装容器に関する。
【背景技術】
【０００２】
近年、各種の液体や粉粒体等を収容する合成樹脂製の包装容器についても、環境負荷の低減が図られるようになっており、使用する樹脂量を減らした薄肉の包装容器が種々開発されている。また、各種の液体や粉粒体等を収容する容器として、パウチ等の柔軟な軟包装材による袋状の包装容器の他、薄肉の合成樹脂製のシート材料による、内容物を収容した受皿と蓋とからなる、例えばコンビ弁当等に使用する使い捨て用の受皿容器が包装容器として多く用いられている（例えば、特許文献１〜３参照）。これらの包装容器は、受皿や蓋を、薄肉の合成樹脂製のシート材料から、例えば真空成形等によって、所望の形状となるように精度良く且つ効率良く形成することが可能である。
【０００３】
また、薄肉の合成樹脂製のシート材料から形成される包装容器は、受皿に蓋を装着した際に、収容した内容物が漏れ出ないように強固に嵌着できるようにすると共に、受皿から蓋を取り外す操作をスムーズに行うことができるように、受皿と蓋との内嵌合や外嵌合による係着構造に、種々の工夫がなされている（例えば、特許文献１〜３参照）。
【先行技術文献】
【特許文献】
【０００４】
【特許文献１】特開平７−２０６０２１号公報
【特許文献２】特開２００３−２５２３５７号公報
【特許文献３】特開２００７−１８６２３０号公報
【発明の概要】
【発明が解決しようとする課題】
【０００５】
一方、近年、商品形態の多様化や消費者のニーズの多様化等から、液体や粉粒体等を内容物として収容する、例えば掌サイズ程度の大きさの簡易でコンパクトな形状の使い捨て用の包装容器を、薄肉の合成樹脂製のシート材料を用いて形成することが要望されている。このような簡易でコンパクトな形状の使い捨て用の包装容器では、例えばコンビ弁当等に使用する受皿容器に用いられていた、従来の受皿と蓋との係合構造を採用した場合に、例えば両手を使用して係合状態を開放する必要を生じて、蓋を受皿から取り外す操作を行ない難くなると共に、受皿容器が不安定になって内容物をこぼし易くなる。このため、薄肉の合成樹脂製のシート材料から形成された簡易でコンパクトな形状の包装容器において、収容された内容物が漏れ出ないように蓋を装着した状態から、好ましくはワンプッシュの簡単な操作によって、受皿と蓋との係着状態をスムーズに開放させて、蓋を受皿から容易に取り外すことができるようにする技術の開発が要望されている。
【０００６】
本発明は、薄肉の合成樹脂製のシート材料から形成された簡易でコンパクトな形状の包装容器において、収容された内容物が漏れ出ないように蓋を装着した状態から、好ましくはワンプッシュの簡単な操作によって、受皿と蓋との係着状態をスムーズに開放させて、蓋を受皿から容易に取り外すことのできる包装容器を提供することを目的とする。
【課題を解決するための手段】
【０００７】
本発明は、受皿本体部に内容物を収容した受皿と、前記受皿本体部の上面開口を覆って装着された蓋とからなる包装容器であって、前記受皿は、前記受皿本体部の外周に張り出して設けられたフランジ部と、該フランジ部の外側縁部から立設して設けられた立設部とを含む受皿側係止部を備えており、前記蓋は、蓋本体部の周壁の下端部の外周に張り出して設けられたフランジ部を含む蓋側係止部を備えており、前記受皿側係止部の立設部の上方に、少なくとも径方向に対向する領域に、外側に向けて横方向に張り出して設けられた押下げ操作部を備えている包装容器を提供することにより、上記目的を達成したものである。
【発明の効果】
【０００８】
本発明の包装容器によれば、薄肉の合成樹脂製のシート材料から形成された簡易でコンパクトな形状の包装容器において、収容された内容物が漏れ出ないように蓋を装着した状態から、好ましくはワンプッシュの簡単な操作によって、受皿と蓋との係着状態をスムーズに開放させて、蓋を受皿から容易に取り外すことができる。
【図面の簡単な説明】
【０００９】
【図１】本発明の好ましい一実施形態に係る包装容器の斜視図である。
【図２】本発明の好ましい一実施形態に係る包装容器の分解斜視図である。
【図３】図１のＡ−Ａに沿った略示断面図である。
【図４】図３のＢ部拡大図である。
【図５】（ａ）〜（ｃ）は、受皿側張出し係止部と蓋側張出し係止部との係着状態を解除する状況を説明する部分断面図である。
【図６】上下逆さまにした状態の包装容器の斜視図である。
【発明を実施するための形態】
【００１０】
図１及び図２に示す本発明の好ましい一実施形態に係る包装容器１０は、内容物として、例えば液体、粉粒体等からなる化粧料、食品、医薬品等の他、クリーム状やジェル状等のその他の種々の物質を収容する、好ましくは掌サイズの簡易でコンパクトな形状の使い捨て用の受皿状の容器として用いられる。本実施形態の包装容器１０は、薄肉の合成樹脂製のシート材料を用いて、例えば真空成形等によって容易に形成できると共に、内容物を漏れ出させることなく強固に封入した状態から、好ましくはワンタッチの簡単な操作によって、蓋１３を受皿１１から取り外すことを可能にして、内容物をこぼすことなく容易に取り出すことができるようにする機能を備える。
【００１１】
そして、本実施形態の包装容器１０は、図１及び図２に示すように、受皿本体部１１ａに内容物を収容した受皿１１と、受皿本体部１１ａの上面開口を覆って装着された蓋１３とからなる、好ましくは掌サイズのコンパクトな形状の受皿状の容器である。受皿１１は、受皿本体部１１ａの外周に張り出して設けられたフランジ部１１ｃと、該フランジ部１１ｃの外側縁部から立設して設けられた立設部１２ｄとを含む受皿側係止部１２を備えており、蓋１３は、蓋本体部１３ａの周壁１３ｃの下端部１３ｄの外周に張り出して設けられたフランジ部１４ｃを含む蓋側係止部１４を備えている。受皿側係止部１２の立設部１２ｄの上方に、少なくとも径方向に対向する領域に、外側に向けて横方向に張り出して設けられた押下げ操作部１６を備えている。本明細書において、包装容器１０を正立させた状態で受皿１１に対して蓋１３が位置する側を上方または上側と呼称し、反対側を下方または下側と呼称する。
【００１２】
また、本実施形態の包装容器１０では、受皿側係止部１２は、図３及び図４にも示すように、受皿本体部１１ａの外側縁部から垂下して設けられた垂下部１２ｂと、垂下部１２ｂの下端縁部から外側に張り出して設けられたフランジ部１２ｃと、フランジ部１２ｃの外側縁部から立設して設けられた立設部１２ｄとを含んで形成されている。蓋側係止部１４は、蓋本体部１３ａの周壁１３ｃの下端部１３ｄと、該下端部１３ｄの下端縁部から外側に張り出して設けられたフランジ部１４ｃと、フランジ部１４ｃの外側縁部から立設して設けられた立設部１４ｄとを含んで形成されていて、立設部１４ｄの上端縁部には外側係止部１４ｅを備えている。受皿側係止部１２と蓋側係止部１４とは、受皿側係止部１２に蓋側係止部１４を嵌め込むことで、内嵌合部２０及び外嵌合部２１（図３、図４参照）による係合によって、少なくとも受皿側係止部１２の垂下部１２ｂと蓋本体部１３ａの周壁１３ｃの下端部１３ｄとを重ね合せた状態で、係着されている。受皿側係止部１２の立設部１２ｄから上方に延設して、縮径部１５ａを備える延設部１５が設けられていると共に、縮径部１５ａの上方部分における延設部１５の少なくとも径方向に対向する領域に、外側に向けて横方向に張り出して設けられた押下げ操作部１６を備えている。なお、受皿側係止部１２や蓋側係止部１４の垂下部１２ｄ、１４ｄは、フランジ部１２ｃ、１４ｃの張り出し方向に対して垂直に延設しているとは限らず、また鉛直に延設しているとは限らない。
【００１３】
本実施形態の包装容器１０は、受皿１１に内容物を収容して蓋１３が装着された状態から（図３参照）、押下げ操作部１６に上方から押下げ力を加えることで、受皿側係止部１２を弾性変形させて、蓋側係止部１４の立設部１４ｄに設けられた外側係止部１４ｅによる外嵌合部２１を、外側係止部１４ｅが延設部１５の縮径部１５ａを乗り越えることによって解除させる（図５（ａ）、（ｂ）参照）。しかる後に、押下げ操作部１６への押下げ力を開放することで、外側係止部１４ｅが延設部１５の縮径部１５ａを乗り越えた状態のまま、受皿側係止部１２を元の形状に復帰させて、蓋本体部１３ａの周壁１３ｃの下端部１３ｄを上方にスライド移動させることによって、周壁１３ｃの下端部１３ｄと該下端部１３ｄに重ね合された受皿側係止部１２の垂下部１２ｂとによる内嵌合部２０を解除させるようになっている（図５（ｃ）参照）。
【００１４】
また、本実施形態では、蓋１３は、蓋本体部１３ａの上面部１３ｂを、延設部１５に設けられた押下げ操作部１６よりも上方に配置した状態で、受皿本体部１１ａの上面開口を覆って装着されている（図１参照）。
【００１５】
本実施形態では、包装容器１０を構成する受皿１１は、図２及び図３に示すように、例えばポリエチレンテレフタレートなどのポリエステル系樹脂、ポリプロピレン系樹脂、ポリスチレン系樹脂、ポリエチレン系樹脂、ポリ乳酸系樹脂等による合成樹脂製の薄肉のシート材料からなる。受皿１１は、好ましくは真空成形等によって一体として形成された、例えば０．０２〜０．８ｍｍ程度の肉厚を有する成形加工品となっている。受皿１１は、これらの合成樹脂から単層で構成されていてもよく、多層で構成されていてもよい。受皿１１は、内容物を視認したい場合には、透明なシート材料を用いて形成された透明なシート成形品となっていることが好ましい。受皿１１は、内容物を収容する、外周部分に環状接続部１１ｄを備える受皿本体部１１ａと、受皿側張出し係止部１２とを含んで構成されている。
【００１６】
受皿本体部１１ａは、例えば３０〜２００ｍｍ程度の外径の円形状の平面形状を有すると共に、例えば３０〜２００ｍｍ程度の高さを有する、扁平な有底円筒形状として、倒立した扁平な切頭円錐形状を備えている。すなわち、受皿本体部１１ａは、上面開口から底壁部１１ｃに向けて内径を滑らかに縮径させた、テーパー形状の周壁部１１ｂを備えており、これによって倒立した扁平な切頭円錐形状を形成している。また、受皿本体部１１ａには、これの上面開口の開口周縁部に接続して、環状接続部１１ｄが周方向に円環状に連続して一体として設けられている。この環状接続部１１ｄによる受皿本体部１１ａの外周縁部に接続して、受皿側係止部１２が、周方向に円環状に連続して外側に張り出した状態で設けられている。
【００１７】
ここで、受皿本体部１１ａの上面開口は、当該受皿本体部１１ａの環状接続部１１ｄとの接続箇所である、周壁部１１ｂの上端部によって囲まれた領域である。また、受皿本体部１１ａの平面形状の「円形状」には、略円形も含まれる。略円形には、楕円、長円、一部に直線を有する円等が含まれる。
【００１８】
本実施形態では、環状接続部１１ｄは、受皿側係止部１２を、受皿本体部１１ａの周壁部１１ｂの外側にこれと離間させた状態で配置するための、周壁部１１ｂの周方向に連続して設けられた円環帯板形状の部分である。環状接続部１１ｄは、稜線部１１ｅを挟んで折れ曲がった、ヘの字の断面形状を備えている。環状接続部１１ｄは、その内側縁部を受皿本体部１１ａの周壁部１１ｂの上端部に接続すると共に、その外側縁部を受皿側係止部１２の垂下部１２ｂに接続することで、受皿側係止部１２を受皿本体部１１ａの周壁部１１ｂに支持させる。本実施形態では、受皿本体部１１は、底壁部１１ｃ及び周壁部１１ｂを含み、更に蓋側係止部１４が係合される受皿側係止部１２までの部分であり、また、受皿本体部１１ａの外側縁部は、環状接続部１１ｄの外周縁部となる。
【００１９】
本実施形態では、受皿側係止部１２は、受皿本体部１１ａの環状接続部１２ｇの外側縁部から下方に垂下する垂下部１２ｂと、垂下部１２ｂの下端縁部から外側に張り出すフランジ部１２ｃと、フランジ部１２ｃの外側縁部から上方に立設する立設部１２ｄとを備える、開放側を上方に向けたコの字の断面形状を有している。フランジ部１２ｃは、受皿本体部１１ａから垂下部１２ｂを経て受皿本体部１１ａの外周部分に沿って、円形の平面形状を備えるように形成されている。受皿本体部１１ａに内容物が収容された受皿１１に蓋１３を装着する際に、受皿側係止部１２には、後述する蓋側係止部１４が、内嵌合部２０及び外嵌合部２１による係合によって係着される（図４参照）。これによって、蓋側係止部１４が、全周に亘って、受皿側係止部１２の内側に装着された状態を保持することが可能になる。またこれによって、受皿本体部１１ａに内容物が収容された受皿１１と、蓋１２とが一体となった、本実施形態の包装容器１０が形成される。
【００２０】
本実施形態では、受皿本体部１１ａの底壁部１１ｃは、受皿側係止部１２の下方に位置し、特にフランジ部１２ｃより下方に位置している。
【００２１】
本実施形態では、受皿側係止部１２の立設部１２ｄの上端部から上方に延設して、縮径部１５ａを有する延設部１５が設けられている。縮径部１５ａは、本実施形態では、受皿側係止部１２の立設部１２ｄの上端部と接続して、内側に凸となった円弧状の断面形状を有する湾曲形状となるように形成されている。縮径部１５ａは、受皿側係止部１２の周方向に円環状に連続して設けられている。また、延設部１５には、縮径部１５ａの上方に接続段差部１５ｃを介して連続して、外側に向けて斜め上方に延設する拡径部１５ｂが設けられている。拡径部１５ｂもまた、受皿側係止部１２の周方向に円環状に連続して設けられている。
【００２２】
本実施形態では、延設部１５の縮径部１５ａの上方部分に配置された、縮径部１５ａの上方に連続する拡径部１５ｂの上端部には、少なくとも径方向に対向する領域（本実施形態では、径方向に対向する２箇所の領域）に、一対の押下げ操作部１６が、外側に向けて横方向に張り出した状態で設けられている。本実施形態では、押下げ操作部１６は、略半トラック円形状の平面形状を有する板状のリブ部となっており、径方向に対向する２箇所の領域に各々設けられている。
【００２３】
ここで、延設部１５に設けられた押下げ操作部１６は、拡径部１５ｂの上端部における、径方向に対向する２箇所の領域のみに設ける必要は必ずしも無く、３箇所又は４箇所以上に設けることもできる。押下げ操作部１５は、延設部１５（拡径部１５ｂ）の全周に亘って、環状に連続した状態で外側に張り出して設けることもできる（図示省略）。延設部１５の全周に亘って、押下げ操作部１６を環状に連続した状態で設けることにより、周方向の任意の位置の径方向に対向する領域において、押下げ操作部１６を押し下げて、縮径部１２ｅや拡径部１２ｊを下方に押し下げることが可能になる。
【００２４】
なお、図２や図３において、受皿１１は、説明の便宜上、受皿本体部１１ａの内部に内容物が収容されていない状態で示されているが、本実施形態では、受皿本体部１１ａには、実際には、内容物が収容された状態となっている。また、受皿１１に内容物が未だ収容されていない状態の包装容器１０は、特許請求の範囲の請求項８の包装容器に含まれる。
【００２５】
本実施形態では、受皿１１と共に受皿容器１０を構成する蓋１３は、図２及び図３に示すように、例えばポリエチレンテレフタレートなどのポリエステル系樹脂、ポリプロピレン系樹脂、ポリスチレン系樹脂、ポリエチレン系樹脂、ポリ乳酸系樹脂等による合成樹脂製の薄肉のシート材料からなる。蓋１３は、好ましくは真空成形等によって一体として形成された、例えば０．０２〜０．８ｍｍ程度の肉厚を有する成形加工品となっている。蓋１３は、これらの合成樹脂から単層で構成されていてもよく、多層で構成されていてもよい。蓋１３は、内容物を視認したい場合には、透明なシート材料を用いて形成された透明なシート成形品となっていることが好ましい。蓋１３は、受皿本体部１１ａの上面開口を覆う蓋本体部１３ａと、蓋側係止部１４とを含んで構成されている。
【００２６】
蓋本体部１３ａは、例えば３０〜２００ｍｍ程度の外径の円形状の平面形状を有すると共に、例えば３０〜２００ｍｍ程度の高さを有する有底円筒形状として、倒立した切頭円錐形状を備えている。すなわち、蓋本体部１３ａは、上面部１３ｂと、上面部１３ｂの周縁部分から下方に延設して設けられた周壁１３ｃとを含んで構成されている。周壁１３ｃは、上面部１３ｂから下方に向けて内径を滑らかに拡径させた、テーパー状周壁部１３ｅと、テーパー状周壁部１３ｅの下端縁部から拡径することなく下方に垂下して設けられた、垂下周壁部１３ｆ(図４参照)とを備えており、これらによって倒立した切頭円錐形状を形成している。また、蓋本体部１３ａには、これの下面開口の開口周縁部である垂下周壁部１３ｆの下端縁部に接続して、蓋側係止部１４のフランジ部１４ｃが、周方向に円環状に連続して外側に張り出した状態で設けられ、これによりフランジ部１４ｃは、蓋本体部１３ａの周壁１３ｃの下端部１３ｄの外周に張り出して設けられている。蓋本体部１３ａの平面形状の「円形状」には、受皿本体部１１ａの平面形状と同様に、略円形も含まれる。略円形には、楕円、長円、一部に直線を有する円等が含まれる。
【００２７】
蓋本体部１３ａは、本実施形態では、上述のように、倒立した切頭円錐形状を備える部分であり、好ましくは上面部１３ｂを、受皿側係止部１２の立設部１２ｄの上端縁部から上方に延設する延設部１５に設けられた押下げ操作部１６よりも、上方に配置した状態で、受皿本体部１１ａの上面開口を覆って取り付けられている。これにより、輸送時に誤動作で外れることを防止し、また包装容器１０の内容積を大きくすることができる。
【００２８】
蓋側係止部１４は、本実施形態では、図３及び図４に示すように、蓋本体部１３ａの周壁１３ｃの下端部１３ｄと、周壁１３ｃの下端部１３ｄの垂下周壁部１３ｆの下端縁部に接続して外側に張り出して設けられたフランジ部１４ｃと、フランジ部１４ｃの外側縁部から立設して設けられた、上端縁部に外側係止部１４ｅを備える立設部１４ｄとを含んで形成されている。蓋側係止部１４は、受皿側係止部１２の内側に、上方から嵌め込むようにして抱え込まれた状態で固定されることが可能な形状を備えている。蓋側係止部１４は、蓋本体部１３ａの周壁部１３ｃの下端部１３ｄを受皿側係止部１２の垂下部１２ｂに重ね合わせた状態で、受皿側係止部１２の内側に嵌め込まれている。蓋側係止部１４は、フランジ部１４ｃが、円形状の平面形状を備えるように形成されている。
【００２９】
本実施形態では、蓋側係止部１４を形成する周壁１３ｃの下端部１３ｄの垂下周壁部１３ｆは、受皿側係止部１２の垂下部１２ｂよりも、短い長さで設けられている。これによって、蓋側係止部１４が、受皿側係止部１２の内側に嵌め込まれて、周壁１３ｃの下端部１３ｄ及びフランジ部１４ｃが、受皿側係止部１２の垂下部１２ｂ及びフランジ部１２ｃに重ね合された状態では、蓋本体部１３ａの周壁部１３ｃの、テーパー状周壁部１３ｅと垂下周壁部１３ｆとの接続部は、受皿側係止部１２の垂下部１２ｂの、受皿本体部１１ａの環状接続部１１ｄとの接続角部分１２ｅよりも、下方に配置される。またこれによって、蓋本体部１３ａの周壁部１３ｃの下端部１３ｄにおける、テーパー周壁部１３ｅが、受皿側係止部１２の垂下部１２ｂの、受皿本体部１１ａの環状接続部１１ｄとの接続角部分１２ｅに、嵌合代が大きな線状に密着した状態で当接することになる。またこれによって、受皿側係止部１２と蓋側係止部１４との内嵌合部２０は、蓋側本体部１３ａの周壁１３ｃの下端部１３ｄの、受皿側係止部１２の垂下部１２ｂの環状接続部１１との接続角部分１２ｅへの嵌合代の大きな角部嵌合部２０ｂと、角部嵌合部２０ｂよりも下方の部分における、蓋側本体部１３ａの周壁１３ｃの下端部１３ｄと、受皿側係止部１２の垂下部１２ｂとの密着による嵌合代の小さな下部嵌合部２０ａとによる、二段構成の嵌着部を形成することになる（図４参照）。なお、図４における拡大略示断面図では、嵌合代の大きさを説明し易くするために、蓋１３の中心と、受皿１１の中心とを合致させて、受皿側係止部１２に蓋側係止部１４を嵌め込んだ際に、受皿側係止部１２、及び蓋皿側係止部１４の周壁１３ｂの下端部１３ｄや立設部１４ｄが断線変形する前の、これらが互いに重なり合った仮想の状態を示している。
【００３０】
また、本実施形態では、蓋側係止部１４のフランジ部１４ｃは、受皿側係止部１２のフランジ部１２ｃよりも、短い長さで設けられている。さらに、本実施形態では、蓋側係止部１４の立設部１４ｄの上端縁部から、外側に向けて横方向に張り出して、外側係止部１４ｅが設けられている。
【００３１】
これらによって、蓋側係止部１４が、受皿側係止部１２の内側に嵌め込まれて、周壁１３ｃの下端部１３ｄ及びフランジ部１４ｃが、受皿側係止部１２の垂下部１２ｂ及びフランジ部１２ｃに重ね合された状態では、蓋側係止部１４の立設部１４ｄと、受皿側係止部１２の立設部１２ｄとの間には、隙間が保持される。また、蓋側係止部１４の立設部１４ｄの上端縁部から外側に張り出して設けられた外側係止部１４ｅは、受皿側係止部１２の立設部１２ｄと、延設部１５の縮径部１５ａとの接続基端部に係止されることで、蓋側係止部１４と受皿側係止部１２との外嵌合部２１が形成されることになる。
【００３２】
また、本実施形態では、受皿側係止部１２のフランジ部１２ｃ及び蓋側係止部１４のフランジ部１４ｃが、円形状の平面形状を備えているため、係着状態において、密閉性を向上することができる。また、本実施形態では、受皿本体部１１ａの底壁部１１ｃは、受皿側係止部１２の下方に位置し、特にフランジ部１２ｃより下方に位置しているため、押下げ操作部１６の押下げ力により、受皿側係止部１２は弾性変形しやすくなり、受皿側係止部１２と蓋側係止部１４ａとの係着を解除し易くなる。
【００３３】
本実施形態の包装容器１０は、受皿側係止部１２に蓋側係止部１４を係着することで、図１に示すように、受皿本体部１１ａに内容物を収容した受皿１１に蓋１３を装着して、内嵌合部２０及び外嵌合部２１による係合によって、内容物が漏れ出ないように強固に且つ安定した状態で内容物を封入して製品化することができる。製品化された包装容器１０は、図６に示すように、上下逆さまにして、蓋１３を下方に配置した状態で搬送等されると共に、上下逆さまにした状態のまま、店頭等に陳列してもよい。これによって、搬送時や陳列時等において、押下げ操作部１６に、誤って上方から押下げ力が加えられるのを回避して、包装容器１０が誤開封されるのを、一層効果的に防止することができる。
【００３４】
特に、本実施形態では、蓋本体部１３ａの上面部１３ｂを、受皿側係止部１２から延設する延設部１５に設けられた押下げ操作部１６よりも上方に配置して、蓋１３が受皿本体部１１ａの上面開口を覆って装着されているので、包装容器１０を上下逆さまにした状態では、蓋本体部１３ａの上面部１３が載置面に載置されることによって、押下げ操作部１６を載置面から浮かせた状態に保持することが可能になる。これによって、上下逆さまにした受皿容器１０が上方から荷重を受けた場合でも、載置面に載置された蓋本体部１３ａの上面部１３によって、上方からの荷重を支持することで、押下げ操作部１６を押し上げる力が、載置面側からかからないようにすることができるので、包装容器１０が誤開封されるのを、さらに効果的に防止することが可能になる。
【００３５】
また、本実施形態の包装容器１０は、例えば受皿１１の受皿本体部１１ａの底壁部１１ｃや蓋１３の蓋本体部１３ａの上面部１３ｂに、色彩、装飾、宣伝広告、能書、使用説明等を施しておくことで、意匠性を向上させることが可能になると共に、例えば受皿側係止部１２のフランジ部１２ｃの表面に、色彩や装飾等を施しておくことによって、受皿側係止部１２のフランジ部１２ｃと、蓋側係止部１４のフランジ部１４ｃとの間に、内容物が挟まったまま残っている場合でも、これらの内容物を覆い隠して、包装容器１０の外観が損なわれるのを効果的に回避することが可能になる。
【００３６】
そして、本実施形態では、上述の構成を備える包装容器１０を購入した消費者は、例えば受皿１１を下方に配置した正立状態で載置面に載置して、好ましくは一対の押下げ操作部１６に、上方から押し下げる力を同時に加えたり、加えた力を開放する操作を容易に行なうことができる。これによって、後述する図５（ａ）〜（ｃ）に示すような受皿側係止部１２及び蓋側係止部１４の動きによって、受皿側係止部１２と蓋側係止部１４ａの係着が解除されるので、受皿１１から蓋１３を容易に取り外して、内容物を使用することが可能になる。
【００３７】
すなわち、本実施形態では、図５（ａ）に示すような、蓋側本体部１３ａの周壁１３ｃの下端部１３ｄと、受皿側係止部１２の垂下部１２ｂとを重ね合せて、受皿側係止部１２と蓋側係止部１４とが内嵌合部２０及び外嵌合部２１による係合によって係着されている状態から、押下げ操作部１６に押し下げる力を加えれば、図５（ｂ）に示すように、受皿側係止部１２は、垂下部１２ｂとフランジ部１２ｃとの角部を中心として、フランジ部１２ｃを下方に回転させるように弾性変形して、立設部１２ｄを下方に移動させる。これによって、蓋側係止部１４の立設部１４ｄに設けられた外側係止部１４ｅは、受皿側係止部１２の立設部１２ｄの下方への移動に伴って、受皿側係止部１２の立設部１２ｄと縮径部１５ａとの接続段差部から外れて、延設部１５の縮径部１５ａに乗り上げて行くと共に、縮径部１５ａを乗り越えた後に、縮径部１５ａと拡径部１５ｂとの間の接続段差部１５ｃに係止される。またこれによって、蓋側係止部１４の外側係止部１４ｅが受皿側係止部１２の立設部１２ｄと縮径部１５ａとの接続基端部に係合していたことによる、受皿側係止部１２と蓋側係止部１４との外嵌合部２１による係合が解除される。
【００３８】
外側係止部１４ｅが延設部１５の縮径部１５ａを乗り越えるまで、押下げ操作部１６を押し下げたら、押下げ操作部１６への押下げ力を開放する。これによって、図５（ｃ）に示すように、受皿側係止部１２は、弾性変形した状態から元の形状に復帰しようとして、受皿側係止部１２の立設部１２ｄを上方に移動させることになる。この際に、蓋側係止部１４の外側係止部１４ｅが、延設部１５の縮径部１５ａと拡径部１５ｂとの間の接続段差部１５ｃに係止されているので、外側係止部１４ｅが縮径部１５ａを乗り越えた状態を保持したまま、蓋側係止部１４は、立設部１２ｄの上方への移動に伴って、その全体が上方に移動することになる。これによって、蓋側係止部１４を形成する蓋本体部１３ａの周壁部１３ｃの下端部１３ｄは、受皿側係止部１２の垂下部１２ｂに対して相対的に上方に移動して行くことになるので、下部嵌合部２０ａと角部嵌合部２０ｂとによる受皿側係止部１２と蓋側係止部１４との内嵌合部２０が、スムーズに解除されることになる。
【００３９】
このようにして、本実施形態の包装容器１０では、受皿１１に内容物を収容して蓋１３が装着された状態から、押下げ操作部１６に上方から押下げ力を加えることで、外嵌合部２１を解除させ、押下げ操作部１６への押下げ力を開放することで、内嵌合部２０を解除させることによって、受皿側係止部１２と蓋側係止部１４とが係着した状態を容易に開放させて、好ましく蓋１３を受皿１１から浮かせた状態とすることができるので、蓋１３を受皿１１から取り外して、内容物を容易に取り出すことが可能になる。
【００４０】
したがって、本実施形態の包装容器１０によれば、薄肉の合成樹脂製のシート材料から形成された簡易でコンパクトな形状の容器において、収容された内容物が漏れ出ないように蓋１３を装着した状態から、好ましくはワンプッシュの簡単な操作によって、受皿１１と蓋１３との係合状態をスムーズに開放させて、蓋１３を受皿１１から容易に取り外すことが可能になる。
【００４１】
また、本実施形態の受皿容器１０によれば、受皿１１に蓋１３が装着された際の、受皿側係止部１２と蓋側係止部１４との係着は、受皿側係止部１２の内側に、蓋側係止部１４が密着したり係止したりすることで、内嵌合部２０及び外嵌合部２１による二重の嵌合構造によってなされているので、これらの嵌合によるシール機能によって、内容物が漏れ出るのを、効果的に防止することが可能になる。さらに、受皿側係止部１２と蓋側係止部１４とが係着した状態では、受皿側係止部１２と蓋側係止部１４は、少なくとも蓋側本体部１３ａの周壁１３ｃの下端部１３ｄ及びフランジ部１４ｃが、受皿側係止部１２の垂下部１２ｂ及びフランジ部１２ｃに重ね合わされて、これらが互いに当接したり密着した状態となっているので、これらの当接やり密着によるシール機能によって、内容物が漏れ出るのを、さらに効果的に防止することが可能になる。
【００４２】
特に、本実施形態では、受皿側係止部１２と蓋側係止部１４との外嵌合部２１は、蓋側係止部１４の立設部１４ｄの先端部から外側に張り出して設けられた外側係止部１４ｅを、受皿側係止部１２の立設部１２ｄと延設部１５の縮径部１５ａとの接続基端部に係止することによって形成されているので、蓋側係止部１４を受皿側係止部１２に嵌め込んだり、嵌め込んだ状態を開放する際に、適度なクリック感を得ることが可能になる。このため、外側係止部１４ｅの、立設部１２ｄと縮径部１５ａとの接続基端部への嵌合代は、０．１〜１．０ｍｍとすることが好ましい。
【００４３】
また特に、本実施形態では、受皿側係止部１２と蓋側係止部１４との内嵌合部２０は、蓋側本体部１３ａの周壁１３ｃの下端部１３ｄと、受皿側係止部１２の垂下部１２ｂとの密着による、比較的弱い嵌合形態となっている嵌合代の小さな下部嵌合部２０ａと、蓋本体部１３ａの周壁部１３ｃの下端部１３ｄの、環状接続部１１ｄと受皿係止部１２の垂下部１２ｂとの接続角部分１２ｅへの密着による、比較的強い嵌合形態となっている嵌合代の大きな角部嵌合部２０ｂとによって、強弱二段の嵌合部を形成しているので、下部嵌合部２０ａによる機能と角部嵌合部２０ｂによる機能を補完し合うことによって、密閉性が高いにもかかわらず嵌合状態を外し易くなるという作用効果が奏される。
【００４４】
すなわち、下部嵌合部２０ａは、嵌合代の小さな弱い係着形態で接しているため係着状態がゆっくりと外れるようになっており、角部嵌合部２０ｂは、嵌合代の大きな強い係着形態で接しているため係状態が急に外れるようになっているので、これらの相乗効果によって、強い嵌合力を実現しながらも、外し易い嵌合状態を得ることが可能になる。このため、下部嵌合部２０ａにおける嵌合代（周壁１３ｃの下端部１３ｄの垂下周壁部１３ｆの中間部分における嵌合代）は、０〜０．３ｍｍとすることが好ましく、０．１〜０．２ｍｍとすることが特に好ましい。角部嵌合部２０ｂにおける嵌合代は、０〜０．５ｍｍとすることが好ましく、０．０５〜０．３ｍｍとすることが特に好ましい。これによって、内容物の密閉性を高い状態に保持しながら、効率良く係着状態を開放することが可能になる。
【００４５】
このような、下部嵌合部２０ａと角部嵌合部２０ｂとの二段の嵌合構造による内嵌合部２０の機能が効果的に発揮されるように、蓋本体部１３ａの周壁部１３ｃのテーパー形状周壁部１１ｅは、垂下周壁部１３ｆ（蓋本体部１３ａの上面部１３ｂと垂直な方向）に対して１〜４５度の傾斜角度θ(図４、図５（ａ）参照)で傾斜していることが好ましい。これによって、角部嵌合部２０ｂによる、部分的にきつい嵌合状態を実現することが可能になると共に、内容物の密閉性を向上させることが可能になる。
【００４６】
さらに、本実施形態の包装容器１０によれば、外嵌合部２１を解除させると共に、内嵌合部２０を解除させることによって、受皿側係止部１２と蓋側係止部１４とが係着した状態を開放させた際に(図５（ｃ）の点線参照)、受皿側係止部１２の上方に延設する延設部１５の拡径部１５ｂは、開放された蓋側係止部１４よりも上方及び外側に張り出して配置されているので、例えば受皿１１から浮かせた状態となっている蓋１３を取り外す際に、内容物が受皿側係止部１２の外側に漏れ出たりこぼれたりするのを、効果的に防止することが可能になる。
【００４７】
なお、本発明は上記実施形態に限定されることなく種々の変更が可能である。例えば、受皿側係止部１２と蓋側係止部１４との係合は、嵌合には限らず、低密度ポリエチレン等によるシール、エポキシ樹脂のような熱硬化性樹脂等または溶媒の蒸発による接着剤等、テープ状接着物質等による接着によって行ってもよい。また、上記実施形態の嵌合に加えて、シールや接着剤等を用いてもよい。これらのシールや接着による係合は、押下げ操作部１６の押下げ力によって、解除できる程度に調整する。
【００４８】
また、例えば、受皿は、上面開口から底壁部に向けて内径を縮径させた、テーパー形状の周壁部を備えるものである必要は必ずしも無く、有底円筒形状の受皿等であっても良い。蓋は、蓋本体部の上面部を、受皿側係止部の上方に設けられた押下げ操作部よりも上方に配置した状態で、受皿本体部の上面開口を覆って装着されている必要は必ずしも無く、上面部が、押下げ操作部と同じ高さ、又はこれよりも低い高さに配置されていても良い。受皿側係止部の垂下部は、受皿本体部の外周部分に設けられた、受皿本体部の一部を構成する環状接続部の外側縁部から垂下して設けられている必要は必ずしも無く、環状接続部が設けられていない場合には、受皿本体部の周壁部の上端縁部による外側縁部から、直接垂下して設けられていても良い。
【符号の説明】
【００４９】
１０  包装容器
１１  受皿
１１ａ  受皿本体部
１１ｂ  周壁部
１１ｃ  底壁部
１１ｄ  環状接続部
１２  受皿側係止部
１２ｂ  垂下部
１２ｃ  フランジ部
１２ｄ  立設部
１２ｅ  接続角部分
１３  蓋
１３ａ  蓋本体部
１３ｂ  上面部
１３ｃ  周壁部
１３ｄ  下端部
１３ｅ  テーパー状周壁部
１３ｆ  垂下周壁部
１４  蓋側係止部
１４ｃ  フランジ部
１４ｄ  立設部
１４ｅ  外側係止部
１５  延設部
１５ａ  縮径部
１５ｂ  拡径部
１５ｃ  接続段差部
１６  押下げ操作部
２０  内嵌合部
２０ａ  下部嵌合部
２０ｂ  角部嵌合部
【図１】
0006654381.tif 000002
【図２】
0006654381.tif 000003
【図３】
0006654381.tif 000004
【図４】
0006654381.tif 000005
【図５】
0006654381.tif 000006
【図６】
0006654381.tif 000007